(57)【特許請求の範囲】
【請求項１】
装着キャップ２により容器体３に装着固定させるとともに、装着キャップ上端開口より上方付勢状態で上下動可能に突出するステム４の上端にノズルヘッド５を嵌着固定してなる作動部材Ａを備え、作動部材を上下動させることにより容器体内液体を汲み上げる如く構成したポンプ機構を備えてなるポンプであって、上記ノズルヘッド５を、ステム４外周上端に縦筒６の下部内周を密嵌して固定するとともに、縦筒内上部と連通する噴出口7aを基端面7bに開口した先端開口のノズル筒７を、縦筒６上部より前方へ突設してなるヘッド本体5Aと、周囲に外気導入用の隙間８をあけてノズル筒７内に嵌着固定するとともに、内部に発泡部材９を備え、且つ、基端部に上記隙間８と内部とを連通させる連通口10を設けてなる発泡筒5Bとから構成し、上記ステム４上端部に、ステム４内から縦筒６内への液噴出時のみ開弁する逆止弁Ｘを設けてなることを特徴とする泡噴出ポンプ。
【請求項２】
上記逆止弁Ｘが、ステム４内周上端に周方向間隔をあけて複数縦設した縦リブ14の各内面上端部間に柱状の基体15を嵌着固定して装着するとともに、基体15外周上端縁より外方へ突設したフランジ状弁板16をステム４上面に圧接係止させてなる逆止弁X1である請求項１記載の泡噴出ポンプ。
【請求項３】
上記フランジ状弁板16の一部を、縦筒６内上部に突出形成したノズル筒７の基端部下面と、ステム４上面との間に圧接挟持してなる請求項２記載の泡噴出ポンプ。
【請求項４】
上記ノズルヘッド５上面に嵌着した嵌着基板26より一体に突設した弾性帯27の先端を上部に一体に連結するとともに、ノズル筒７先端に着脱可能に嵌着して閉塞する蓋板29を設けてなる請求項１記載の泡噴出ポンプ。
【請求項５】
上記発泡筒5Bが、ノズル筒７内に密嵌固定した嵌合用筒31内面より突設した連結片11を介して二重筒状に且つ一体に延設した発泡筒5Bであり、嵌合用筒31先端より一体に突設した弾性帯27先端を上部に一体に連結するとともに、嵌合用筒31先端に着脱可能に嵌着して閉塞する蓋板29を設けてなる請求項１記載の泡噴出ポンプ。
【発明の詳細な説明】
【０００１】
【発明の属する技術分野】
本発明は泡噴出ポンプに関する。
【０００２】
【従来の技術】
泡噴出ポンプとして、装着キャップにより容器体に装着固定させるとともに、装着キャップ上端開口より上方付勢状態で上下動可能に突出するステムの上端にノズルヘッドを嵌着固定してなる作動部材を備え、作動部材を上下動させることにより容器体内液体を汲み上げる如く構成したポンプ機構を備えてなるポンプであって、ノズルヘッドに、噴出された収納液を空気と攪拌して発泡化させる発泡部材を組付けたものが使用されている。
【０００３】
この発泡化用のノズルヘッドは、通常のノズルヘッドの噴出口に、メッシュ等の発泡部材を有するノズル口筒を組付け、噴出口と発泡部材との間に形成される噴出路に外気を導入する空気孔を開設して構成され、勢い良く噴出される収納液と、この収納液の勢いの良い噴出動作により空気孔から吸引された空気とを一緒に発泡部材に導入し、発泡部材で収納液と空気との気・液混合体の発泡化を達成するものである。
【０００４】
【発明が解決しようとする課題】
しかしながら、上記した従来技術にあっては、空気孔を噴出口に近接した噴出路に開口する必要があることから、空気孔をノズルヘッドの上端部に、その開口部を外部に露出させた状態で直接開設した構造となっているので、空気孔開設のための専用の後加工を必要として、制作処理工数が増えるとか、空気孔を一体設することのできる専用の金型装置を新たに製造しなければならないという問題があった。
【０００５】
また、空気孔は、ノズルヘッドの上端部の外表面に露出した状態で形成されるので、商品としてのノズルヘッドの外観体裁上、この空気孔を大きな開口面積で形成することができず、このため噴出される内容液の発泡化に空気が不足となりがちとなるという問題があった。
【０００６】
さらに、空気孔は、商品としてのノズルヘッドの外観体裁上、多数個を設けることができず、ノズルヘッドの上端部の左右にそれぞれ一つ設けるのが限界であるため、噴出路の全周にわたって空気を均一に吸引することは不可能であり、このため噴出される内容液の物性によっては、発泡化に不均一が発生する虞があるという問題があった。
【０００７】
また、これらポンプを容器体に装着した泡噴出器は、用途によっては容器を傾倒しつつ目的部位に泡を噴射することもしばしば行われている。その際、泡噴出後のステム内或いはヘッド本体内の液が噴出口より垂れる虞がある。通常のこの種ポンプに使用されている玉状弁体を使用した吐出弁では、その液漏れを防止を図れない。
【０００８】
そこで、本発明は、上記した従来技術における問題点を解消すべく創案されたもので、ノズルヘッドの制作の面倒化を防止するとともに、既存のノズルヘッドの発泡化機能付きへの変換を容易とし、更に内容液の十分で良好な発泡化を得ることを目的し、また、泡噴出後の液漏れを極力防止できる機能を兼ね備えたポンプを提案することを目的とする。
【０００９】
【課題を解決するための手段】
本請求項１発明のポンプは上記課題を解決するため、装着キャップ２により容器体３に装着固定させるとともに、装着キャップ上端開口より上方付勢状態で上下動可能に突出するステム４の上端にノズルヘッド５を嵌着固定してなる作動部材Ａを備え、作動部材を上下動させることにより容器体内液体を汲み上げる如く構成したポンプ機構を備えてなるポンプであって、上記ノズルヘッド５を、ステム４外周上端に縦筒６の下部内周を密嵌して固定するとともに、縦筒内上部と連通する噴出口7aを基端面7bに開口した先端開口のノズル筒７を、縦筒６上部より前方へ突設してなるヘッド本体5Aと、周囲に外気導入用の隙間８をあけてノズル筒７内に嵌着固定するとともに、内部に発泡部材９を備え、且つ、基端部に上記隙間８と内部とを連通させる連通口10を設けてなる発泡筒5Bとから構成し、上記ステム４上端部に、ステム４内から縦筒６内への液噴出時のみ開弁する逆止弁Ｘを設けてなることを特徴とする泡噴出ポンプとして構成した。
【００１０】
また、請求項２発明のポンプは、上記逆止弁Ｘが、ステム４内周上端に周方向間隔をあけて複数縦設した縦リブ14の各内面上端部間に柱状の基体15を嵌着固定して装着するとともに、基体15外周上端縁より外方へ突設したフランジ状弁板16をステム４上面に圧接係止させてなる逆止弁X1である請求項１記載の泡噴出ポンプとして構成した。
【００１１】
また、請求項３発明のポンプは、上記フランジ状弁板16の一部を、縦筒６内上部に突出形成したノズル筒７の基端部下面と、ステム４上面との間に圧接挟持してなる請求項２記載の泡噴出ポンプとして構成した。
【００１２】
また、請求項４発明のポンプは、上記ノズルヘッド５上面に嵌着した嵌着基板26より一体に突設した弾性帯27の先端を上部に一体に連結するとともに、ノズル筒７先端に着脱可能に嵌着して閉塞する蓋板29を設けてなる請求項１記載の泡噴出ポンプとして構成した。
【００１３】
また、請求項５発明のポンプは、上記発泡筒5Bが、ノズル筒７内に密嵌固定した嵌合用筒31内面より突設した連結片11を介して二重筒状に且つ一体に延設した発泡筒5Bであり、嵌合用筒31先端より一体に突設した弾性帯27先端を上部に一体に連結するとともに、嵌合用筒31先端に着脱可能に嵌着して閉塞する蓋板29を設けてなる請求項１記載の泡噴出ポンプとして構成した。
【００１４】
【発明の実施の形態】
以下、本発明の実施例の形態を図面を参照して説明する。
本発明の泡噴出ポンプ１は、装着キャップ２により容器体３に装着固定させるとともに、装着キャップ上端開口より上方付勢状態で上下動可能に突出するステム４の上端にノズルヘッド５を嵌着固定してなる作動部材Ａを備え、作動部材を上下動させることにより容器体内液体を汲み上げる如く構成したポンプ機構を備えている。
【００１５】
上記ポンプ機構は、従来のこの種ポンプに使用されているものであればどの様の構造のものであっても採用できるが、例えば、図示しないで説明すると、容器体内に下部を垂下させた状態でシリンダを固定し、シリンダ内周縁を摺動する環状ピストンをステム外周下部に突設した作動部材を、コイルスプリング等により上方付勢させ、シリンダ下端部には吸い込み弁を、ステム内上部には吐出弁をそれぞれ設け、シリンダ下端より垂設した吸い上げパイプを容器体内に垂下させたものが、最も単純な構造として挙げられる。
【００１６】
本発明では、この種のポンプに於いて、上記ノズルヘッド５を、ヘッド本体5Aと、発泡筒5Bとから構成している。
【００１７】
ヘッド本体5Aは、ステム４外周上端に縦筒６の下部内周を密嵌させて固定するとともに、縦筒６内上部と連通する噴出口7aを基端面7bに開口した先端面開口のノズル筒７を、縦筒６上部より前方へ突設している。ノズル筒７の形状は、発泡筒5Bの形状と相関して発泡筒5Bとの間に隙間を形成できる筒状であれば良く、例えば、図１，図３に示す実施例の如く、矩形筒状に形成しても、或いは図４，図６に示す実施例の如く円筒状であっても、図示しないが楕円筒状であってもその他の筒状であっても良い。また、ノズル筒７の基端面7bに開口した噴出口7aは、収納液を勢い良く噴出するために設けたものであり、基端面7bの位置は、図示例の如く、縦筒６の中央部分に存在する様に縦筒６の上部内に発泡筒5Bの基端部を食い込ませて形成しても良い。
【００１８】
また、発泡筒5Bは、周囲に外気導入用の隙間８をあけてノズル筒７内に嵌着固定するとともに、内部に発泡部材９を備え、且つ、基端部に外気導入用の隙間８と内部とを連通させる連通口10を設けて構成している。
【００１９】
図１及び図２に示す実施例では、円筒状の発泡筒5Bの両側前後方向中央部に、それぞれ連結片11を突設し、各連結片11をノズル筒７内面両側に凹設した前後方向に延びる凹溝12に嵌合させて発泡筒5Bをノズル筒７内に、その先端を突出させて嵌合させ、以てその周囲に外気導入用の隙間８を設けている。
【００２０】
また、発泡部材９は噴出口7aから勢い良く噴出する液と、液の噴出力により連通口10から吸引される空気との、気・液混合体を発泡させるために設けたもので、図示例では、発泡筒5Bと一体に形成したメッシュとして発泡部材９を構成している。また、図１及び図２に示す実施例では、その中央部に矩形状の窓孔13を穿設して、発泡の調整を行う如く構成している。発泡部材９としてはメッシュに限らず、多孔質部材を用いる等、従来のこの種ポンプに於ける発泡部材として使用しているものが採用できる。
【００２１】
連通口10は、図１，図３，図４に示す実施例の如く、発泡筒5Bの基端部に孔を形成しても良く、或いは図６に示す実施例の如く、発泡筒5Bの基端部をノズル筒７の基端面7bと離隔して設けても良く、この場合、外気が周囲より吸入されてより均一な発泡化が期待出来る。図１に示す実施例では、発泡筒5B外周後端部の左右両側に、それぞれ矩形状の切欠き孔を穿設することにより連通口10を構成している。
【００２２】
本発明では、ステム４上端部に、ステム４内から縦筒６内への液噴出時のみ開弁する逆止弁Ｘを設けている。この逆止弁Ｘを設けることにより、保管時等に不用意に容器を倒すことがあっても、内容液の漏出を極力防止することはもとより、使用時に、容器を傾倒させつつ使用する際の液の漏出も極力防止する如く構成している。
【００２３】
図１，図４，図６に示す実施例では、ステム４内周上端に周方向間隔をあけて複数縦設した縦リブ14の各内面上端部間に柱状の基体15を嵌着固定して装着するとともに、基体15外周上端縁より外方へ突設したフランジ状弁板16をステム４上面に圧接係止させ、また、弁板16の前部一部を、縦筒６内上部に突出形成したノズル筒７の基端部下面と、ステム４上面との間に圧接挟持した逆止弁Ｘを設けている。また、基体15は、外周上部に突設した係合突条17を、各縦リブ14の上端部内側に突設した各係止突起18を強制的に乗り越えてその下面に係合させている。
【００２４】
図１に示すポンプ１を使用する場合に付いて説明すると、図１の状態からノズルヘッド５上面を押圧して作動部材Ａを押し下げることにより、容器体内の液がステム４より逆止弁X1の弁板16を押し上げて噴出口7aより勢い良く発泡筒5B内に噴出される。発泡筒5B内への液の噴出に伴って連通口10より外気が吸引され、この空気と液との混合体が発泡部材９に導入されてここで発泡し、発泡筒5Bの先端より泡として噴出される。尚、上記作動部材Ａの押し下げが終了すると、弁板16がその弾性復元力により元の閉弁状態に戻るため、縦筒６上部及び発泡筒5B内には未発泡の液の存在は極めて少なくなる。
【００２５】
図３に示す実施例は、上記ステム４内上部に形成した弁座20上に載置した玉状弁体21を、縦筒６内上部に突設したノズル筒７の基端部下面との間に張設したコイルスプリング22により常時下方へ圧接して逆止弁X2を構成した例を示し、他の構成は基本的に図１の実施例と同様である。
【００２６】
図４及び図５或いは図６及び図７に示す実施例は、ノズルヘッド５の開口部を蓋板29により開閉可能に閉塞させて、更なる液漏れの防止を図る如く構成したものである。
【００２７】
図４及び図５に示す実施例は、図１の実施例と同様の逆止弁Ｘを備え、また、円筒状のノズル筒７内に、外面前後方向中央部の上下に連結片11を突設した円筒状の発泡筒5Bを嵌着固定している。また、ノズルヘッド上面に立設した平面視矩形状をなす枠24外周に嵌合させた嵌合筒部25を外周縁より垂設した嵌着基板26を設け、該基板の先端部より一体に突設した弾性帯27の先端を上部に一体に連結するとともに、ノズル筒７先端に嵌合筒28を着脱可能に嵌着して閉塞する蓋板29を一体に設けている。
【００２８】
図６及び図７に示す実施例は、円筒状のノズル筒７内に密嵌固定した嵌合用筒31内面より突設した連結片11を介して二重筒状に且つ一体に延設した発泡筒5Bを横設している。また、発泡筒5Bの後端部はノズル筒７の基端面7bと離間させた状態で固定しており、この隙間を上記した如く連通口10として構成している。また、嵌合筒28先端上部より一体に突設した弾性帯27先端を上部に一体に連結するとともに、嵌合用筒31先端に嵌合筒28を着脱可能に嵌合して閉塞する蓋板29を設けて構成している。
【００２９】
尚、上記各部材は主として合成樹脂を使用して形成することができ、必要に応じてエラストマー等を併用して形成することができる。
【００３０】
【発明の効果】
以上説明した如く本発明ポンプは既述構成としたことにより、噴出液の発泡化のための外気導入用の隙間及び該隙間との連通口を、別体物であるヘッド本体と発泡筒との組み合わせで形成するので、製造の複雑なヘッド本体のさらなる構造の複雑化を防止することができ、もってノズルヘッドの製造を簡単かつ安価に達成することが出来る。しかも、逆止弁の存在でノズルヘッド部分には未発泡の液の存在が少なく、ポンプを装着した容器体を誤って倒した時はもとより、傾倒使用時に於ける泡噴出後の液ダレを極力防止することができる効果を兼ね備えている。
【００３１】
また、外気導入用の隙間の開口部を、発泡液の噴出口と並列的に位置させるので、この吸気路の開口部が、商品としてのノズルヘッドの外観体裁に悪影響を与えることがなく、これにより商品イメージを低下させることなく、充分に大きな外気導入用の隙間の開口部を形成することができ、もって商品として外観体裁が良いとともに、良好な発泡化機能を発揮する。
【００３２】
外気導入用の隙間と連通口は、ヘッド本体に対する発泡筒の組付けにより、ヘッド本体と発泡筒との間に形成されるので、その形成が簡単に且つ確実に達成できるとともに、寸法及び形態変更が容易であり、発泡筒を変更するだけで同一のヘッド本体を各種の収納液の発泡化に適応させて使用することができ、広い汎用性を発揮することができる。
【００３３】
連通口を噴出口の側近に無理なく位置させることができるので、勢い良く噴出される収納液の勢いに従って外気の吸引を確実にかつ効率良く達成することが出来、もって良好で安定した収納液の発泡化を得ることができる。
【００３４】
また、請求項２発明のポンプでは、ステム上端面レベルで噴出口へ移行する液の遮断を行えるため、逆止弁下流の未発泡の液の存在をより少なくすることができ、液の漏出をより防止できるものである。
【００３５】
また、請求項３発明のポンプでは、逆止弁が外れる等の不都合を生じる虞を無くし、円滑な泡噴出機能を発揮するものである。
【００３６】
また、請求項４発明のポンプでは、更なる液の漏出を防止できるものである。
【００３７】
また、請求項５発明のポンプでは、ノズル筒先端からの更なる液の漏出防止ができるとともに、発泡筒と一体に蓋板を形成しているため、組付けも極めて簡単に行える利点を兼ね備えている。
【図面の簡単な説明】
【図１】本発明の一実施例を示す一部切欠き要部側面図である。
【図２】同実施例のノズル筒部分の拡大正面図である。
【図３】本発明の他の実施例を示す一部切欠き要部側面図である。
【図４】本発明の更に他の実施例を示す一部切欠き要部側面図である。
【図５】同実施例の要部側面図である。
【図６】本発明の更に他の実施例を示す一部切欠き要部側面図である。
【図７】同実施例の係要部側面図である。
【符号の説明】
２…装着キャップ，３…容器体，４…ステム，５…ノズルヘッド，
5a…ヘッド本体，5B…発泡筒，６…縦筒，７…ノズル筒，7a…噴出口，
7b…基端面，８…隙間，９…発泡部材，10…連通口，11…連結片，
14…縦リブ，15…基体，16…フランジ状弁板，20…弁座，21…玉状弁体，
22…コイルスプリング，26…嵌着基板，27…弾性帯，29…蓋板，
31…嵌合用筒，Ａ…作動部材，Ｘ，X1，X2…逆止弁
【図１】
0003710617.tif 000002
【図２】
0003710617.tif 000003
【図３】
0003710617.tif 000004
【図４】
0003710617.tif 000005
【図５】
0003710617.tif 000006
【図６】
0003710617.tif 000007
【図７】
0003710617.tif 000008